【手続補正書】
【提出日】平成16年7月14日(2004.7.14)
【手続補正１】
【補正対象書類名】明細書
【補正対象項目名】特許請求の範囲
【補正方法】変更
【補正の内容】
【特許請求の範囲】
【請求項１】
複数の記憶媒体で情報を記憶して、読み書きをおこなうハイブリッドストレージにおいて、
ディスク装置と、不揮発性半導体メモリとを有し、
ユーザの指定、または、稼動状態にしたがって、
前記ハイブリッドストレージの読み書きの対象とする記憶媒体を、前記ディスク装置と前記不揮発性半導体メモリのうち、少なくとも一つ以上選択して、前記記憶媒体の選択の状態に関係なく、外部に継続してアクセスすることが可能なインターフェースを提供することを特徴とするハイブリッドストレージ。
【請求項２】
前記稼動状態の情報を集める手段と、
前記ディスク装置と前記不揮発性半導体メモリの選択の条件を設定する手段とを有し、
前記稼動状態の情報と選択の条件とを比較することにより、このハイブリッドストレージの読み書きの対象とする記憶媒体を、前記ディスク装置と前記不揮発性半導体メモリのうち、少なくとも一つ以上選択することを特徴とする請求項１記載のハイブリッドストレージ。
【請求項３】
不揮発性半導体メモリを抜き差しできるソケットを設け、不揮発性半導体メモリが前記ソケットに挿入されたときに、
ユーザの指定、または、稼動状態にしたがって、
このハイブリッドストレージの読み書きの対象とする記憶媒体を、前記ディスク装置と前記不揮発性半導体メモリのうち、少なくとも一つ以上選択することを特徴とする請求項１および請求項２記載のいずれかのハイブリッドストレージ。
【請求項４】
前記稼動状態の判定条件として、
少なくとも、温度、振動・衝撃、気圧、バッテリィの残量、音圧もしくは暗騒音に対する回転型記憶装置の相対発生音、または、ディスク装置の発生音、装置が電源投入時・切断時であることの一つ以上を含むことを特徴とする請求項１ないし請求項３記載のいずれかのハイブリッドストレージ。
【請求項５】
記憶装置にプログラムとデータを格納し、それらを読み書きすることによって処理をおこなう情報処理装置において、
前記記憶装置の記憶媒体として、ディスク装置と、不揮発性半導体メモリとを有し、
ユーザの指定、または、稼動状態にしたがって、
前記情報処理手段の読み書きの対象とする記憶媒体を、前記ディスク装置と前記不揮発性半導体メモリのうち、少なくとも一つ以上選択して、前記記憶媒体の選択の状態に関係なく、前記情報処理装置が実行していた処理を継続して、前記記憶媒体にアクセスすることが可能なことを特徴とする情報処理装置。
【請求項６】
前記稼動状態の情報を集める手段と、
前記記憶装置の選択の条件を設定する手段とを有し、
前記稼動状態の情報と選択の条件とを比較することにより、このハイブリッドストレージの読み書きの対象とする記憶媒体を、前記ディスク装置と前記不揮発性半導体メモリのうち、少なくとも一つ以上選択することを特徴とする請求項５記載の情報処理装置。
【請求項７】
不揮発性半導体メモリを抜き差しできるソケットを設け、不揮発性半導体メモリが前記ソケットに挿入されたときに、
ユーザの指定、または、稼動状態にしたがって、
このハイブリッドストレージの読み書きの対象とする記憶媒体を、前記ディスク装置と前記不揮発性半導体メモリのうち、少なくとも一つ以上選択することを特徴とする請求項５および請求項６記載のいずれかの情報処理装置。
【請求項８】
前記稼動状態の判定条件として、
少なくとも、温度、振動・衝撃、気圧、バッテリィの残量、音圧もしくは暗騒音に対する回転型記憶装置の相対発生音、または、ディスク装置の発生音、装置が電源投入時・切断時であることの一つ以上を含むことを特徴とする請求項５ないし請求項７記載のいずれかの情報処理装置。
【請求項９】
前記ディスク装置および前記不揮発性半導体メモリに、オペレーティングシステム、アプリケーションプログラムと、ユーザデータが格納可能なことを特徴とする請求項５ないし請求項８記載のいずれかの情報処理装置。
【請求項１０】
この情報処理装置が、シャットダウンするときに読み書きの対象としていた記憶媒体と、起動時に読み書きの対象とする記憶媒体とが違っていても選択した方の記憶媒体にアクセスすることが可能な請求項５ないし請求項９記載のいずれかの情報処理装置。
【請求項１１】
この情報処理手段の読み書きの対象とする記憶媒体として、前記不揮発性半導体メモリが選択されているときに、
前記不揮発性半導体メモリに存在しないデータのみ前記ディスク記憶装置から読み出すことを特徴とする請求項５ないし請求項９記載のいずれかの情報処理装置。
【請求項１２】
前記不揮発性半導体メモリに存在して、前記ディスク装置に存在しないデータを前記不揮発性半導体メモリから前記ディスク装置へ転送することを特徴とする請求項５ないし請求項１１記載のいずれかの情報処理装置。
【請求項１３】
磁気ディスク装置とフラッシュメモリとにデータを記憶して、読み書きをおこなうハイブリッドストレージにおいて、
コマンド、データの送受信を制御するハイブリッドストレージコントローラと、
温度、気圧、加速度、集音のためのセンサと、バッテリィと前記センサから情報を収集するセンサ情報収集器と、磁気ディスク装置と、フラッシュメモリと、前記磁気ディスク装置と前記フラッシュメモリと前記ハイブリッドストレージコントローラとの間を中継するハイブリッド中継器とを備え、
このハイブリッドストレージは、使用環境対応モードと、ユーザ設定モードの二つの動作モードを有し、
前記使用環境対応モード下においては、
前記センサ情報収集器により取得された温度、振動・衝撃、気圧、バッテリィの残容量、磁気ディスク装置の発生音の条件により、前記磁気ディスク装置と前記フラッシュメモリとのアクセスを切り替え、
前記ユーザ設定モード下においては、
電源投入／切断モード、フラッシュメモリ優先モード、記憶媒体指定モードのいずれか一つに選択にしたがって、前記磁気ディスク装置と前記フラッシュメモリとのアクセスを切り替え、
前記磁気ディスク装置には、ファイル情報管理テーブルを保持し、
前記フラッシュメモリには、ファイル情報管理テーブルと、磁気ディスク装置とフラッシュメモリの物理アドレスを変換するためのＨＤＤ−フラッシュメモリアドレス変換テーブルとを保持し、
前記ハイブリッドストレージコントローラは、情報処理装置からのファイルのリード／ライト要求に対して、前記使用環境対応モードまたは前記ユーザ設定モードの条件にしたがって、前記磁気ディスク装置と前記フラッシュメモリとのアクセスを切り替え、
前記磁気ディスク装置と前記フラッシュメモリとのアクセスの切り替えの際には、必要なファイルを一方から他方にコピーし、
前記磁気ディスク装置と前記フラッシュメモリとのアクセスの切り替えても、このハイブリッドストレージに接続された情報処理装置の処理を継続しておこなうことを特徴とするハイブリッドストレージ。
【手続補正２】
【補正対象書類名】明細書
【補正対象項目名】０００２
【補正方法】変更
【補正の内容】
【０００２】
【従来の技術】
磁気ディスク装置（以下、「ＨＤＤ」と記す）は、もともとは大型・重量装置であり、計算機室に固定され、振動のない空調の行き届いた場所で使用されていた。その後、技術革新が進み、小型化され、パソコンに搭載される様になったが、振動が少なく、温度、気圧等が適切な使用環境においては、ＨＤＤは安定動作が可能であった。
【手続補正３】
【補正対象書類名】明細書
【補正対象項目名】０１１２
【補正方法】変更
【補正の内容】
【０１１２】
そして、「開始ボタン」をクリックすると、コピーが始まり、図１４に示す様に、ディスプレイ５上の確認画面に、「ＨＤＤ→フラッシュメモリ：コピー完了？」と表示され、「ＯＫボタン」をクリックすると、操作が完了する。